(57)【特許請求の範囲】
【請求項１】
ワイヤレス通信ネットワークにおけるシグナリングを管理するための、第１の無線ネットワークノード（１２）により実行される方法であって、前記第１の無線ネットワークノードは、前記ワイヤレス通信ネットワーク内の第１のサービスエリアにわたる無線カバレッジを提供し、前記方法は、
前記第１のサービスエリアにわたって、第１の同期信号を送信すること（５０１）と、
前記第１のサービスエリアにおいて、第１のビームリファレンス信号（ＢＲＳ）を送信すること（５０２）と、前記第１のＢＲＳは、当該第１のＢＲＳの元の時間ドメイン表現にわたって、等しい長さの、ある数のサンプルの反復シーケンスを含むことと、
ワイヤレスデバイス（１０）から、前記第１の同期信号と第２のサービスエリアにわたる無線カバレッジを提供する第２の無線ネットワークノードからの第２の同期信号とに関する受信情報を受信すること（５０３）であって、前記受信情報は、前記ワイヤレスデバイスで受信される前記第１及び第２の同期信号の間のタイミング差に関するタイミング情報を指し示す、ことと、
受信される前記受信情報に基づいて、前記ワイヤレスデバイスが受信可能な、前記第２の無線ネットワークノード（１３）の第２のＢＲＳのサンプルの反復シーケンスの期待される数を推定すること（５０４）と、
前記ワイヤレスデバイス（１０）へ、前記第２のＢＲＳのサンプルの反復シーケンスの前記期待される数を指し示す標識を送信すること（５０５）と、
を含む方法。
【請求項２】
前記第１のＢＲＳは、サイクリックプレフィクスをさらに含み、前記サイクリックプレフィクスは、前記数の反復シーケンスのうちの最後の反復シーケンスの一部を含む、請求項１に記載の方法。
【請求項３】
前記ワイヤレスデバイスから、測定報告を受信すること（５０６）と、前記測定報告は、前記ワイヤレスデバイス（１０）での、前記第１のＢＲＳ及び前記第２のＢＲＳの受信される強度又は品質を指し示すことと、
前記測定報告に基づいて、ネットワーク計画を実行すること（５０７）と、
をさらに含む、請求項１または２に記載の方法。
【請求項４】
前記第１のＢＲＳの前記元の時間ドメイン表現は、直交周波数分割多重（ＯＦＤＭ）シンボルである、請求項１〜３のいずれかに記載の方法。
【請求項５】
ワイヤレス通信ネットワーク（１）におけるシグナリングを管理するための、ワイヤレスデバイス（１０）により実行される方法であって、
第１の無線ネットワークノード（１２）から、第１の同期信号を受信すること（６０１）と、
前記第１の無線ネットワークノード（１２）から、前記ワイヤレス通信ネットワークの第１のサービスエリアにおいて、第１のビームリファレンス信号（ＢＲＳ）を受信すること（６０２）と、前記第１のＢＲＳは、当該第１のＢＲＳの元の時間ドメイン表現にわたって、等しい長さの、ある数のサンプルの反復シーケンスを含むことと、
第２のサービスエリアにわたる無線カバレッジを提供する第２の無線ネットワークノードから、第２の同期信号を受信すること（６０３）と、
前記第１の無線ネットワークノード（１２）へ、前記第１の同期信号及び前記第２の同期信号に関する受信情報を送信すること（６０４）であって、前記受信情報は、受信される前記第１及び第２の同期信号の間のタイミング差に関するタイミング情報を指し示す、ことと、
前記第１の無線ネットワークノード（１２）から、前記ワイヤレスデバイスが受信可能な、前記第２の無線ネットワークノード（１３）からの第２のＢＲＳのサンプルの反復シーケンスの期待される数を指し示す標識を受信すること（６０５）と、
前記第２の無線ネットワークノードから、高速フーリエ変換（ＦＦＴ）ウィンドウにおいて、前記期待される数の前記第２のＢＲＳのサンプルの反復シーケンスを受信すること（６０６）と、前記ＦＦＴウィンドウは、受信される前記標識に基づいたサイズを有することと、
を含む方法。
【請求項６】
前記第１のＢＲＳは、サイクリックプレフィクスをさらに含み、前記サイクリックプレフィクスは、前記数の反復シーケンスのうちの最後の反復シーケンスの一部を含む、請求項５に記載の方法。
【請求項７】
前記第１及び第２のＢＲＳの強度又は品質を測定すること（６０７）と、
前記第１の無線ネットワークノード（１２）へ、前記第１及び第２のＢＲＳの測定される強度又は品質を指し示す測定報告を送信すること（６０８）と、
をさらに含む、請求項５または６に記載の方法。
【請求項８】
ワイヤレス通信ネットワークにおけるシグナリングを管理するための第１の無線ネットワークノード（１２）であって、前記第１の無線ネットワークノードは、前記ワイヤレス通信ネットワーク内の第１のサービスエリアにわたる無線カバレッジを提供する、ように構成され、前記第１の無線ネットワークノードは、
前記第１のサービスエリアにわたって、第１の同期信号を送信し、
前記第１のサービスエリアにおいて、第１のビームリファレンス信号（ＢＲＳ）を送信し、
ワイヤレスデバイス（１０）から、前記第１の同期信号と第２のサービスエリアにわたる無線カバレッジを提供する第２の無線ネットワークノードからの第２の同期信号とに関する受信情報であって、前記ワイヤレスデバイスでの受信される前記第１及び第２の同期信号の間のタイミング差に関するタイミング情報を指し示す当該受信情報を受信し、
受信される前記受信情報に基づいて、前記ワイヤレスデバイスが受信可能な、前記第２の無線ネットワークノード（１３）の第２のＢＲＳのサンプルの反復シーケンスの期待される数を推定し、
前記ワイヤレスデバイス（１０）へ、前記第２のＢＲＳのサンプルの反復シーケンスの前記期待される数を指し示す標識を送信する、
ようにさらに構成され、前記第１のＢＲＳは、当該第１のＢＲＳの元の時間ドメイン表現にわたって、等しい長さの、ある数のサンプルの反復シーケンスを含む、
第１の無線ネットワークノード（１２）。
【請求項９】
前記第１のＢＲＳは、サイクリックプレフィクスをさらに含み、前記サイクリックプレフィクスは、前記数の反復シーケンスのうちの最後の反復シーケンスの一部を含む、請求項８に記載の第１の無線ネットワークノード（１２）。
【請求項１０】
前記ワイヤレスデバイスから、測定報告であって、前記ワイヤレスデバイス（１０）での、前記第１のＢＲＳ及び前記第２のＢＲＳの受信される強度又は品質を指し示す当該測定報告を受信し、
前記測定報告に基づいて、ネットワーク計画を実行する、
ようにさらに構成される、請求項８または９に記載の第１の無線ネットワークノード（１２）。
【請求項１１】
前記第１のＢＲＳの前記元の時間ドメイン表現は、直交周波数分割多重（ＯＦＤＭ）シンボルである、請求項８〜１０のいずれかに記載の第１の無線ネットワークノード（１２）。
【請求項１２】
ワイヤレス通信ネットワーク（１）におけるシグナリングを管理するためのワイヤレスデバイス（１０）であって、前記ワイヤレスデバイス（１０）は、
第１の無線ネットワークノード（１２）から、第１の同期信号を受信し、
前記第１の無線ネットワークノード（１２）から、前記ワイヤレス通信ネットワークの第１のサービスエリアにおいて、第１のビームリファレンス信号（ＢＲＳ）であって、当該第１のＢＲＳの元の時間ドメイン表現にわたって、等しい長さの、ある数のサンプルの反復シーケンスを含む当該第１のＢＲＳを受信し、
第２のサービスエリアにわたる無線カバレッジを提供する第２の無線ネットワークノードから、第２の同期信号を受信し、
前記第１の無線ネットワークノード（１２）へ、前記第１の同期信号及び前記第２の同期信号に関する受信情報であって、受信される前記第１及び第２の同期信号の間のタイミング差に関するタイミング情報を指し示す当該受信情報を送信し、
前記第１の無線ネットワークノード（１２）から、前記ワイヤレスデバイスが受信可能な、前記第２の無線ネットワークノード（１３）からの第２のＢＲＳのサンプルの反復シーケンスの期待される数を指し示す標識を受信し、
前記第２の無線ネットワークノードから、高速フーリエ変換（ＦＦＴ）ウィンドウにおいて、前記期待される数の前記第２のＢＲＳのサンプルの反復シーケンスを受信する、
ように構成され、
前記ＦＦＴウィンドウは、受信される前記標識に基づいたサイズを有する、
ワイヤレスデバイス（１０）。
【請求項１３】
前記第１のＢＲＳは、サイクリックプレフィクスをさらに含み、前記サイクリックプレフィクスは、前記数の反復シーケンスのうちの最後の反復シーケンスの一部を含む、請求項１２に記載のワイヤレスデバイス（１０）。
【請求項１４】
前記第１及び第２のＢＲＳの強度又は品質を測定し、
前記第１の無線ネットワークノード（１２）へ、前記第１及び第２のＢＲＳの測定される強度又は品質を指し示す測定報告を送信する、
ようにさらに構成される、請求項１２または１３に記載のワイヤレスデバイス（１０）。
【請求項１５】
少なくとも１つのプロセッサ上で実行された場合に、請求項１〜７のいずれかに記載の前記方法を、ワイヤレスデバイス（１０）又は前記第１の無線ネットワークノード（１２）により実行されるように、前記少なくとも１つのプロセッサに遂行させる命令、を含むコンピュータプログラム。
【請求項１６】
少なくとも１つのプロセッサ上で実行された場合に、請求項１〜７のいずれかに記載の前記方法を、ワイヤレスデバイス（１０）又は前記第１の無線ネットワークノード（１２）により実行されるように、前記少なくとも１つのプロセッサに遂行させる命令、を含むコンピュータプログラムを記憶しているコンピュータ読取可能な記憶媒体。
【発明の詳細な説明】
【技術分野】
【０００１】
ここでの実施形態は、ワイヤレス通信に関するワイヤレスデバイス、第１の無線ネットワークノード、及びそれらにおいて実行される方法に関連する。さらに、コンピュータプログラム及びコンピュータ読取可能な記憶媒体もまたここで提供される。具体的には、ここでの実施形態は、ワイヤレス通信ネットワークにおけるシグナリングの実行又はネットワーク計画の実行（例えば、ハンドオーバ等を実行すべきかの判定）といった、シグナリングの管理に関連する。
【背景技術】
【０００２】
典型的なワイヤレス通信ネットワークにおいて、ワイヤレス通信デバイス、移動局、ステーション（ＳＴＡ）及び／又はユーザ機器（ＵＥ）としても知られるワイヤレスデバイスは、１つ以上のコアネットワーク（ＣＮ）へ無線アクセスネットワーク（ＲＡＮ）を介して通信する。ＲＡＮは、複数のエリア又はセルエリアへ分割される地理的エリアをカバーし、各エリア又はセルエリアはアクセスノード（例えば、Ｗｉ−Ｆｉアクセスポイント又は無線基地局（ＲＢＳ））といった無線ネットワークノードによりサービスされる。アクセスノードは、いくつかのネットワークでは、例えば“ノードＢ”又は“ｅＮｏｄｅＢ”とも呼ばれ得る。エリア又はセルエリアは、アクセスノードにより無線カバレッジが提供される地理的エリアである。アクセスノードは、無線周波数上で動作して、当該アクセスノードのレンジ内のワイヤレスデバイスとエアインタフェース上で通信する。アクセスノードは、ダウンリンク（ＤＬ）上でワイヤレスデバイスへ通信し、ワイヤレスデバイスは、アップリンク（ＵＬ）上でアクセスノードへ通信する。
【０００３】
ＵＭＴＳ（Universal  Mobile  Telecommunications  System）は、第３世代の通信ネットワークであり、当該ネットワークは、第２世代（２Ｇ）のＧＳＭ（Global  System  for  Mobile  Communications）から進化した。ＵＴＲＡＮ（UMTS  terrestrial  radio  access  network）は、本質的に、ユーザ機器との通信のためにＷＣＤＭＡ（wideband  code  division  multiple  access）及び／又はＨＳＰＡ（High-Speed  Packet  Access）を用いるＲＡＮである。３ＧＰＰ（Third  Generation  Partnership  Project）として知られるフォーラムにおいて、通信サプライヤは、現在の及び将来の世代のネットワーク並びに特にＵＴＲＡＮについて標準を提案し及び合意し、強化されたデータレート及び無線キャパシティを探求している。例えばＵＭＴＳにおけるもののようないくつかのＲＡＮにおいて、複数のアクセスノードが、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数のアクセスノードの多様なアクティビティを監督し及び協調させる。ＲＮＣは、典型的には、１つ以上のコアネットワークへ接続される。
【０００４】
ＥＰＳ（Evolved  Packet  System）についての仕様は、３ＧＰＰ（3rd  Generation  Partnership  Project）内で出揃っており、その作業は、４Ｇ及び５Ｇネットワークといった今後の３ＧＰＰリリースにおいて継続される。ＥＰＳは、ＬＴＥ（Long-Term  Evolution）無線アクセスネットワークとしても知られるＥ−ＵＴＲＡＮ（Evolved  Universal  Terrestrial  Radio-Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、アクセスノードがＥＰＣコアネットワークへ直接的に接続されるという、３ＧＰＰ無線アクセス技術である。そのため、ＥＰＳの無線アクセスネットワーク（ＲＡＮ）は、本質的には、１つ以上のコアネットワークへ直接的に接続される複数のアクセスノードを含む“フラットな”アーキテクチャを有する。
【０００５】
ＮＲ（New  Radio）といった新鋭の５Ｇ技術では、非常に多くの送信及び受信アンテナエレメントの使用が、送信及び受信ビーム形成を利用することを可能にすることから、多大な関心を集めている。送信側のビーム形成は、送信機が、選択される１つ又は複数の方向において送信信号を増幅し、一方で他の方向において送信信号を抑圧することができることを意味する。同様に、受信側では、受信機は、選択される１つ又は複数の方向からの信号を増幅し、一方で他の方向からの望ましくない信号を抑圧することができる。
【０００６】
ビーム形成は、個別の接続について信号をより強くすることを可能にする。送信側では、これは所望の方向における送信される電力の集中により達成され、受信側では、これは所望の方向における増加される受信機感度により達成され得る。このビーム形成は、接続のスループット及びカバレッジを強化する。それは、望ましくない信号からの干渉を低減することをも可能にし、それにより、時間−周波数グリッド内の同じリソースを用いる多重的な個別の接続上での複数の同時送信が可能となり、これがいわゆるマルチユーザＭＩＭＯ（Multiple  Input  Multiple  Output）である。
【０００７】
ビーム形成に伴う問題は、送信及び／又は受信のためにどのビームを使用すべきかを決定することである。無線ネットワークノードにおいて送信（Ｔｘ）側のビーム形成をサポートするために、無線ネットワークノードからある数のリファレンス信号が送信され得る。それにより、ワイヤレスデバイスは、それらリファレンス信号の信号強度又は品質を測定し、及び測定結果を無線ネットワークノードへ報告することができる。そして、無線ネットワークノードは、それら測定値を使用して、１つ以上のワイヤレスデバイスについてどのビームを使用すべきかを決定し得る。
【０００８】
この目的のために、周期的なリファレンス信号及びスケジューリングされたリファレンス信号の組み合わせが使用され得る。
【０００９】
周期的なリファレンス信号は、典型的にはビームリファレンス信号（ＢＲＳ）と呼ばれ、無線ネットワークノードの動作エリアをカバーするのに必要と見なされるだけの数のＴｘビームを使用して、多数の異なる方向において時間的に反復的に送信される。この名前が指し示すように、各ＢＲＳは、その無線ネットワークノードからの固有のＴｘビームを表す。このことは、無線ネットワークノードの見地から、そのワイヤレスデバイスについてのいかなる特別な構成がなくとも、ＢＲＳが異なるビームにおいて受信されると、当該ＢＲＳをワイヤレスデバイスが測定することを可能にする。ワイヤレスデバイスは、異なるＢＲＳ、又は言い換えると、異なるＴｘビームについての情報、例えば受信される電力を、無線ネットワークノードへ折り返し報告する。無線ネットワークノードは、次いで、そのワイヤレスデバイスにとって強いと報告される１つ以上のビームを使用して、そのワイヤレスデバイスへ専用信号を送信し得る。ＢＲＳが多数のビーム上で反復ピリオドを用いて反復的に送信されることから、その反復ピリオドは、当該ＢＲＳについて時間単位当たりに過剰に多くのリソースを使用することを回避するために、相対的に長くなければならない。
【００１０】
スケジューリングされたリファレンス信号は、チャネル状態情報リファレンス信号（ＣＳＩ−ＲＳ）と呼ばれ、具体的な接続を要するときにのみ送信される。ＣＳＩ−ＲＳをいつ、いかに送信すべきかの決定は、無線ネットワークノードにより行われ、この決定は、いわゆる測定グラントを使用して、関与するワイヤレスデバイスへシグナリングされる。ワイヤレスデバイスは、測定グラントを受信すると、対応するＣＳＩ−ＲＳについて測定を行う。無線ネットワークノードは、そのワイヤレスデバイスにとって強いと知得されるビームのみを使用して、ＣＳＩ−ＲＳをワイヤレスデバイスへ送信することを選択し、それらのビームについて、より詳細な情報をワイヤレスデバイスが報告することを可能にし得る。代替的に、無線ネットワークノードは、そのワイヤレスデバイスにとって強いと知得されていないビームをも使用してＣＳＩ−ＲＳを送信することを選択し、例えば、ワイヤレスデバイスが移動中であるケースにおいて、新たなビームの高速な検出を可能にしてもよい。
【００１１】
ＮＲネットワークの無線ネットワークノードは、他のリファレンス信号をも送信する。例えば、無線ネットワークノードは、制御情報又はデータをワイヤレスデバイスへ送信する際に、いわゆる復調リファレンス信号（ＤＭＲＳ）を送信し得る。このような送信は、典型的には、そのワイヤレスデバイスにとって強いと知得されるビームを使用して行われる。
【００１２】
上に述べたように、ビーム形成は、無線ネットワークノードに限定されない。ビーム形成は、ワイヤレスデバイスにおける受信（Ｒｘ）側のビーム形成としても実装することが可能であり、さらに受信信号を強化し及び干渉信号を抑圧する。その場合、同じ（又は同様の）受信ビームを使用してＢＲＳが受信されたと知得されるときにのみ、異なるＴｘビームを比較することに注意を払う必要があり、そうでなければ、受信される電力の差は、送信ビームよりもむしろ使用される受信ビームに依存し得る。
【００１３】
ワイヤレスデバイスは、ワイヤレス通信ネットワークへ接続されている際に、ワイヤレス通信ネットワークと時間同期を維持しようと試みる。このことは、無線ネットワークノードがいわゆる同期信号を周期的に送信することで容易化される。ＬＴＥにおいて、これら同期信号は、標準によって定義され、ワイヤレスデバイスは、これら同期信号を絶えず監視し、この監視に基づいて、自身の同期を調節する。典型的には、この監視は、時間ドメインにおいて直接的に同期信号を探索する信号相関器を有することからなる。同様の解決策が、ＮＲ標準についても想起される。
【００１４】
ワイヤレスデバイスが同期中（in  sync）であるということは、ワイヤレスデバイスが、サブフレーム境界及び／又は直交周波数分割多重（ＯＦＤＭ）シンボル境界がいつ生じるかを知得していること、よって、ワイヤレスデバイスが、以降の信号処理を、これらの境界に合わせて調節可能であることを意味する。最初の、おそらく最も重要なステップは、受信信号を周波数ドメインへ変換する際に、高速フーリエ変換（ＦＦＴ）ウィンドウの、時間的に厳密な位置決めを調節することである。無線ネットワークノードからワイヤレスデバイスへの伝搬遅延が変化する形でワイヤレスデバイスが移動する場合、ＦＦＴウィンドウの位置決めは変化しなければならず、このことを達成する手段を提供するのが、同期信号である。
【００１５】
上述したように、ワイヤレスデバイスは、無線ネットワークノードから送信されるＢＲＳを監視しなければならず、その目的は、ＢＲＳの受信される電力（ＢＲＳ−ＲＰ）を折り返し報告し、無線ネットワークノードがデータ送信のためにどのＴｘビームを使用すべきかを決定できるようにすることである。ＢＲＳは、適度に大きな地理的エリア内において少なくとも局所的に、各無線ネットワークノードに固有であり、それにより、ワイヤレスデバイスは、曖昧性なしに、隣接する送信ポイントからのビーム上のＢＲＳ−ＲＰを測定し及び報告することができる。このことは、無線ネットワークノード間のモビリティをサポートするために必要である。
【００１６】
既存の解決策に伴う問題は、ＢＲＳに関して正確に測定を行うために、ワイヤレスデバイスが、ＢＲＳを送信している無線ネットワークノードと同期中でなければならないことである。しかしながら、無線ネットワークノード間のワイヤレスデバイスのモビリティをサポートするためには、ワイヤレスデバイスが、１つよりも多くの無線ネットワークノードからのＢＲＳについて測定を行うこと、及び、これらの無線ネットワークノードの各々と同期中であること、が可能でなければならない。これが達成されない場合、通信は失敗し、ワイヤレス通信ネットワークの性能が制限され又は低下する結果となるであろう。
【発明の概要】
【発明が解決しようとする課題】
【００１７】
ここでの実施形態の目的は、ワイヤレス通信ネットワークにおけるシグナリングを管理することにより、ワイヤレス通信ネットワークの性能を改善する仕組みを提供することである。
【課題を解決するための手段】
【００１８】
ある態様によると、上記目的は、ワイヤレス通信ネットワークにおけるシグナリングを管理するための、第１の無線ネットワークノードにより実行される方法を提供することによって達成される。第１の無線ネットワークノードは、ワイヤレス通信ネットワーク内の第１のサービスエリアにわたる無線カバレッジを提供する。第１の無線ネットワークノードは、第１のサービスエリアにおいて、第１のＢＲＳを送信し、当該第１のＢＲＳは、当該第１のＢＲＳの元の時間ドメイン表現にわたって、等しい長さの、ある数のサンプルの反復シーケンスを含む。
【００１９】
別の態様によると、上記目的は、ワイヤレス通信ネットワークにおけるシグナリングを管理するための、ワイヤレスデバイスにより実行される方法を提供することによって達成される。ワイヤレスデバイスは、第１の無線ネットワークノードから、ワイヤレス通信ネットワークの第１のサービスエリアにおいて、第１のＢＲＳを受信する。当該第１のＢＲＳは、当該第１のＢＲＳの元の時間ドメイン表現にわたって、等しい長さの、ある数のサンプルの反復シーケンスを含む。
【００２０】
さらに別の態様によると、上記目的は、ワイヤレス通信ネットワークにおけるシグナリングを管理するための、第１の無線ネットワークノードにより実行される方法を提供することによって達成される。第１の無線ネットワークノードは、第１のサービスエリアにわたる無線カバレッジを提供し、ワイヤレスデバイスにサービスする。第１の無線ネットワークノードは、ワイヤレスデバイスへ、第１のＢＲＳ及び第１の同期信号を送信する。第１の無線ネットワークノードは、さらに、ワイヤレスデバイスから、第１のＢＲＳ及び第１の同期信号と第２のサービスエリアにわたる無線カバレッジを提供する第２の無線ネットワークノードからの第２のＢＲＳ及び第２の同期信号とに関する受信情報を受信する。上記受信情報は、ワイヤレスデバイスでの受信される第１及び第２の同期信号の間のタイミング差に関するタイミング情報を指し示し、並びに／又は、上記受信情報は、ワイヤレスデバイスが第１及び第２のＢＲＳを受信したことを指し示す。第１の無線ネットワークノードは、さらに、上記受信情報に基づいて、ネットワーク計画を実行する。
【００２１】
また別の態様によると、上記目的は、ワイヤレス通信ネットワークにおけるシグナリングを管理するための、ワイヤレスデバイスにより実行される方法を提供することによって達成される。ワイヤレスデバイスは、第１のサービスエリアにわたる無線カバレッジを提供する第１の無線ネットワークノードによりサービスされる。ワイヤレスデバイスは、第１の無線ネットワークノードから、第１のＢＲＳ及び第１の同期信号を受信する。ワイヤレスデバイスは、第２のサービスエリアにわたる無線カバレッジを提供する第２の無線ネットワークノードから、第２のＢＲＳ及び第２の同期信号をさらに受信する。さらに、ワイヤレスデバイスは、第１の無線ネットワークノードへ、第１のＢＲＳ及び第１の同期信号と第２のＢＲＳ及び第２の同期信号とに関する受信情報を送信する。上記受信情報は、受信される第１及び第２の同期信号の間のタイミング差に関するタイミング情報を指し示し、並びに／又は、上記受信情報は、ワイヤレスデバイスが第１及び第２のＢＲＳを受信したことを指し示す。
【００２２】
ここでは、少なくとも１つのプロセッサ上で実行された場合に、ここでの方法を、ワイヤレスデバイス又は第１の無線ネットワークノードにより実行されるように、当該少なくとも１つのプロセッサに遂行させる命令、を含むコンピュータプログラムもまた提供される。さらに、ここでは、少なくとも１つのプロセッサ上で実行された場合に、ここでの方法を、ワイヤレスデバイス又は第１の無線ネットワークノードにより実行されるように、当該少なくとも１つのプロセッサに遂行させる命令、を含むコンピュータプログラムを記憶しているコンピュータ読取可能な記憶媒体もまた提供される。
【００２３】
また別の態様によると、上記目的は、ワイヤレス通信ネットワークにおけるシグナリングを管理するための第１の無線ネットワークノードを提供することによって達成される。第１の無線ネットワークノードは、ワイヤレス通信ネットワーク内の第１のサービスエリアにわたる無線カバレッジを提供する、ように構成される。第１の無線ネットワークノードは、第１のサービスエリアにおいて、第１のＢＲＳを送信する、ようにさらに構成され、当該第１のＢＲＳは、当該第１のＢＲＳの元の時間ドメイン表現にわたって、等しい長さの、ある数のサンプルの反復シーケンスを含む。
【００２４】
さらにまた別の態様によると、上記目的は、ワイヤレス通信ネットワークにおけるシグナリングを管理するためのワイヤレスデバイスを提供することによって達成される。ワイヤレスデバイスは、第１の無線ネットワークノードから、ワイヤレス通信ネットワークの第１のサービスエリアにおいて、第１のＢＲＳであって、当該第１のＢＲＳの元の時間ドメイン表現にわたって、等しい長さの、ある数のサンプルの反復シーケンスを含む当該第１のＢＲＳを受信する、ように構成される。
【００２５】
さらに別の態様によると、上記目的は、ワイヤレス通信ネットワークにおけるシグナリングを管理するための第１の無線ネットワークノードを提供することによって達成される。第１の無線ネットワークノードは、第１のサービスエリアにわたる無線カバレッジを提供し及びワイヤレスデバイスにサービスする、ように構成される。第１の無線ネットワークノードは、ワイヤレスデバイスへ、第１のＢＲＳ及び第１の同期信号を送信する、ようにさらに構成される。第１の無線ネットワークノードは、ワイヤレスデバイスから、第１のＢＲＳ及び第１の同期信号と第２のサービスエリアにわたる無線カバレッジを提供する第２の無線ネットワークノードからの第２のＢＲＳ及び第２の同期信号とに関する受信情報を受信する、ようにさらに構成される。上記受信情報は、ワイヤレスデバイスでの受信される第１及び第２の同期信号の間のタイミング差に関するタイミング情報を指し示し、並びに／又は、上記受信情報は、ワイヤレスデバイスが第１及び第２のＢＲＳを受信したことを指し示す。第１の無線ネットワークノードは、上記受信情報に基づいて、ネットワーク計画を実行する、ようにさらに構成される。
【００２６】
さらに別の態様によると、上記目的は、ワイヤレス通信ネットワークにおけるシグナリングを管理するためのワイヤレスデバイスを提供することによって達成される。ワイヤレスデバイスは、第１のサービスエリアにわたる無線カバレッジを提供する第１の無線ネットワークノードによりサービスされる、ように構成される。ワイヤレスデバイスは、第１の無線ネットワークノードから、第１のＢＲＳ及び第１の同期信号を受信する、ように構成される。ワイヤレスデバイスは、第２のサービスエリアにわたる無線カバレッジを提供する第２の無線ネットワークノードから、第２のＢＲＳ及び第２の同期信号を受信する、ようにさらに構成される。さらに、ワイヤレスデバイスは、第１の無線ネットワークノードへ、第１のＢＲＳ及び第１の同期信号と第２のＢＲＳ及び第２の同期信号とに関する受信情報であって、受信される第１及び第２の同期信号の間のタイミング差に関するタイミング情報を指し示し、並びに／又は、ワイヤレスデバイスが第１及び第２のＢＲＳを受信したことを指し示す、当該受信情報を送信する、ように構成される。
【発明の効果】
【００２７】
ここでの実施形態を提供することにより、以下の利点のうちの１つ以上が達成される。
・第１及び第２のＢＲＳの反復シーケンスを所与として、隣接する無線ネットワークノードについての測定が依然として可能である場合のための同期外（out-of-sync）寛容性が、旧来のＢＲＳ設計と比較して大幅に拡張される。なぜなら、例えば１つ以上の反復シーケンスでＣＰが拡張されるからである。
・ワイヤレスデバイスが受信情報を報告することから、無線ネットワークノードが、例えばワイヤレスデバイスへの同時送信用にネットワーク計画を実行する際にどの無線ネットワークノードを利用し得るのか、及び、どの無線ネットワークノードがノード間の切り替えのために（恐らくはランダムアクセス手続の形式の）再同期を要することになるのか、を知得することになる。
【００２８】
これらの利点は、１つずつ又は組み合わせで、ワイヤレス通信ネットワークの性能の改善に帰結し得る。
【図面の簡単な説明】
【００２９】
次に、添付図面との関係において、実施形態がより詳細に説明されるであろう。図面は以下の通りである：
【００３０】
【図１】ここでの実施形態に係るワイヤレス通信ネットワークを描いた概略図を示している。
【図２】ここでの実施形態に係る概略的な組み合わされたフローチャート及びシグナリング方式である。
【図３ａ】ここでの実施形態に係るＢＲＳを示している。
【図３ｂ】ここでの実施形態に係る第２の無線ネットワークノードから遠く離れて受信されるＢＲＳを示している。
【図３ｃ】ここでの実施形態に係る第２の無線ネットワークノードに非常に近接して受信されるＢＲＳを示している。
【図４】ここでの実施形態に係る概略的な組み合わされたフローチャート及びシグナリング方式である。
【図５】ここでの実施形態に係る第１の無線ネットワークノードにより実行される方法を描いた概略的なフローチャートである。
【図６】ここでの実施形態に係るワイヤレスデバイスにより実行される方法を描いた概略的なフローチャートである。
【図７】ここでの実施形態に係る第１の無線ネットワークノードにより実行される方法を描いた概略的なフローチャートである。
【図８】ここでの実施形態に係るワイヤレスデバイスにより実行される方法を描いた概略的なフローチャートである。
【図９】ここでの実施形態に係る無線ネットワークノードを描いたブロック図である。
【図１０】ここでの実施形態に係るワイヤレスデバイスを描いたブロック図である。
【発明を実施するための形態】
【００３１】
ここでの実施形態は、概して、ワイヤレス通信ネットワークに関連する。図１は、ワイヤレス通信ネットワーク１を描いた概略図である。ワイヤレス通信ネットワーク１は、１つ以上のＲＡＮ及び１つ以上のＣＮを含む。ワイヤレス通信ネットワーク１は、いくつかのあり得る実装例について述べているに過ぎないが、ＮＲ、Ｗｉ−Ｆｉ、ＬＴＥ、ＬＴＥアドバンスト、第５世代（５Ｇ）、ＷＣＤＭＡ（Wideband  Code-Division  Multiple  Access）、ＧＳＭ／ＥＤＧＥ（Global  System  for  Mobile  communications/enhanced  Data  rate  for  GSM  Evolution）、ＷｉＭａｘ（Worldwide  Interoperability  for  Microwave  Access）、又はＵＭＢ（Ultra  Mobile  Broadband）といった、１つまたは複数の異なる技術を使用し得る。ここでの実施形態は、ＮＲの文脈において特定の関心を集めている最近の技術動向に関連するが、実施形態は、例えば、ＷＣＤＭＡ及びＬＴＥといった既存のワイヤレス通信システムのさらなる開発においても適用可能である。
【００３２】
ワイヤレス通信ネットワーク１において、ワイヤレスデバイス、例えば、移動局、非アクセスポイント（非ＡＰ）ＳＴＡ、ＳＴＡ、ユーザ機器、及び／又は、ワイヤレス端末といったワイヤレスデバイス１０は、１つ以上のアクセスネットワーク（ＡＮ）、例えば、ＲＡＮを介して、１つ以上のコアネットワーク（ＣＮ）へ通信する。当業者によって理解されるべきこととして、“ワイヤレスデバイス”は、いずれかの端末、ワイヤレス通信端末、ユーザ機器、マシンタイプ通信（ＭＴＣ）デバイス、デバイスツーデバイス（Ｄ２Ｄ）端末、又は、ノード、例えば、スマートフォン、ラップトップ、モバイルフォン、センサ、リレー、モバイルタブレット、若しくは、ネットワークノードによりサービスされるエリア内において当該ネットワークノードとの無線通信を使用して通信することが可能なスモール基地局でさえも意味する、非限定的な用語である。
【００３３】
ワイヤレス通信ネットワーク１は、ＮＲ、ＬＴＥ、Ｗｉ−Ｆｉ、又はＷｉＭＡＸ等といった第１の無線アクセス技術（ＲＡＴ）の、ある地理的エリアである第１のサービスエリア１１にわたる無線カバレッジを提供する第１の無線ネットワークノード１２を含む。第１の無線ネットワークノード１２は、送信及び受信ポイント、例えば、ＷＬＡＮ（Wireless  Local-Area  Network）アクセスポイント又はアクセスポイントステーション（ＡＰ  ＳＴＡ）、アクセスノード、アクセスコントローラといった無線ネットワークノード；基地局、例えば、ＮｏｄｅＢ、進化型ノードＢ（ｅＮＢ、ｅＮｏｄｅ  Ｂ）、基地送受信局、無線遠隔ユニット、アクセスポイント基地局、基地局ルータ、無線基地局の送信構成といった無線基地局；例えば、使用される第１の無線アクセス技術及び専門用語に依存して、第１の無線ネットワークノード１２によりサービスされるエリア内においてワイヤレスデバイスと通信することが可能な、スタンドアローンのアクセスポイント又はいずれかの他のネットワークユニット若しくはノード；であり得る。ワイヤレスデバイス１０は、第１の無線ネットワークノード１２によりサービスされる。第１の無線ネットワークノード１２は、サービングネットワークノードとして言及され得る。ここで、第１のサービスエリアは、サービングエリアとして言及されてよく、サービングネットワークノードは、ワイヤレスデバイス１０へのＤＬ送信及びワイヤレスデバイス１０からのＵＬ送信の形で、ワイヤレスデバイス１０と通信する。
【００３４】
第２の無線ネットワークノード１３は、第２のサービスエリア１４にわたる無線カバレッジをさらに提供し得る。留意されるべきこととして、サービスエリアは、セル、ビーム、、ビームグループ又は、無線カバレッジのエリアを定義する類似のものとして表記されてもよい。
【００３５】
第１及び第２の無線ネットワークノードは、時間的に反復して、１つ以上のビームリファレンス信号（ＢＲＳ）を送信する。各ＢＲＳは、その対応する無線ネットワークノードからの固有のＴｘビーム、例えば、第１の無線ネットワークノード１２からの第１のＢＲＳ及び第２の無線ネットワークノード１３からの第２のＢＲＳ、を表す。留意されるべきこととして、第１の無線ネットワークノードからの１つ又は複数のＢＲＳが存在すること、及び、第２の無線ネットワークノードからの１つ又は複数のＢＲＳが存在すること、があり得る。これらのＢＲＳの全ては、それらがどの無線ネットワークノードから送信されているのか、及び、それが当該無線ネットワークノードからのどのビームであるのか、の両方に関し、一意に識別可能である。ＢＲＳの、ＯＦＤＭベースの送信方式に存在するＣＰは、測定時に必要なタイミング精度のために何らかの余裕（leeway）を提供するが、ワイヤレスデバイス１０と無線ネットワークノードとの間の距離がある程度に達すると、これは充分ではなくなる。この問題は、ＮＲにおいて悪化するが、その理由は、周波数がより高くなる傾向にあり、且つ、これに対応して到達距離（reach）がより短くなるためであり、よって、ワイヤレス通信ネットワークにおいてより多数の無線ネットワークノードの使用が強いられる。結果的に、必要なハンドオーバの数が増大する。
【００３６】
ここでの実施形態は、ＢＲＳ、例えば、第１及び第２のＢＲＳを提供し、当該ＢＲＳは、当該ＢＲＳの元の時間ドメイン表現、例えばＯＦＤＭシンボルといったシンボルインターバルにわたって、ある数の反復シーケンスを含み、それら反復シーケンスは、等しい長さを有する。ＢＲＳは、サイクリックプレフィクスをさらに含み得る。そのサイクリックプレフィクスは、ＢＲＳの元の時間ドメイン表現の末尾においてある数のサンプルの第１のサブシーケンスを含み、例えばそれは、ＯＦＤＭシンボル内の最後のサンプルのある数の連続するサンプルである。よって、ＢＲＳは、当該ＢＲＳの元の時間ドメイン表現の全体に達する数の反復シーケンスであり、ＢＲＳは、開始サンプルとして上記第１のサブシーケンスを有し得る。ＢＲＳのこの設計は、既存の設計を用いて可能であるものに比べると、より格段に長い実効的なＣＰが使用され得ることを可能にし、このことは、ワイヤレスデバイス１０が、より離れた無線ネットワークノードからのＢＲＳ（即ち、より長い伝搬遅延を有するＢＲＳ）について測定を行うことを可能にする。ここで実効的なＣＰとは、そのＣＰがＢＲＳの１つ以上の反復シーケンスで延長されていることを意味する。さらに、ＢＲＳのこの設計は、既存の設計を用いて可能であるものに比べて、より近接しており、よってより短い伝搬遅延を有する、無線ネットワークノードからのＢＲＳについてワイヤレスデバイスが測定を行い得ることをさらに可能にする。
【００３７】
ワイヤレスデバイス１０が第１の無線ネットワークノード１２によりサービスされることから、ワイヤレスデバイスは、よって、第１の無線ネットワークノード１２に同期される。第１の無線ネットワークノード１２は、よって、ワイヤレスデバイス１０が受信し、且つ、第１の無線ネットワークノード１２と同期される第１の同期信号を送信する。第１の無線ネットワークノードは、第２のサービスエリア１４内に入ると、第２の無線ネットワークノード１３から第２の同期信号も受信する。ここでの実施形態によると、ワイヤレスデバイス１０は、受信される第１及び第２の同期信号の間のタイミング差に関するタイミング情報を取得し得る。例えば、ワイヤレスデバイスは、第１の同期信号の受信と第２の同期信号の受信との間の時間を測定する。ワイヤレスデバイス１０は、次いで、第１の無線ネットワークノード１２へ、第１の同期信号及び第２の同期信号に関する受信情報を送信し、その受信情報は、受信される第１及び第２の同期信号の間のタイミング差に関するタイミング情報を指し示す。例えば、ワイヤレスデバイス１０は、測定される時間差を送信してもよく、又は、各々の受信時のタイムスタンプを送信してもよい。第１の無線ネットワークノード１２は、次いで、受信情報に基づいて、ワイヤレスデバイス１０の、第２の無線ネットワークノードへのモビリティ処理を実行すべきか、若しくはいかに実行すべきかの判定、又は、１つよりも多くのビームを使用して、例えば、第１及び第２の無線ネットワークノードを使用して、ワイヤレスデバイス１０へのデータ送信を実行すべきかの判定、といった、ネットワーク計画を実行し得る。モビリティ処理は、ハンドオーバ又はセル再選択等であり得る。
【００３８】
加えて、ワイヤレスデバイス１０は、第１の無線ネットワークノード１２から第１のＢＲＳを受信し、第２の無線ネットワークノード１３から第２のＢＲＳをさらに受信し得る。ワイヤレスデバイス１０は、次いで、第１のＢＲＳ及び第２のＢＲＳに関する受信情報を送信し得る。当該受信情報は、上述のタイミング情報に加えて又は代替的に、ワイヤレスデバイス１０が第１及び第２のＢＲＳを受信したことを指し示し得る。第１の無線ネットワークノード１２は、そして、受信情報に基づいて、これらの無線ネットワークノードの両方からのワイヤレスデバイスへのデータ送信といった、ネットワーク計画を実行してもよい。
【００３９】
よって、無線ネットワークノード間のタイミング差といった受信情報の報告、又は、どの無線ノードを同時に受信することができるか（即ち、受信されたＢＲＳ）について摘示するというより簡易なアプローチによって、ネットワークが結合送信及び再同期コマンド又はランダムアクセスコマンドの発行を計画することが可能となり、これがいわゆるネットワーク計画である。
【００４０】
なお、一般的なシナリオにおける“無線ネットワークノード”という用語は、“送信ポイント”と置換可能である。重要な見方は、送信される互いに異なる同期信号及び／又はＢＲＳに典型的に基づいて、送信ポイント（ＴＰ）間の区別を行うことが可能でなければならないということである。複数のＴＰは、論理的には同じ無線ネットワークノードへ接続されてもよいが、それらが地理的に分離されている（又は異なる伝搬方向を指す）場合には、互いに異なる無線ネットワークノードと同じ同じモビリティの課題の対象となる。後続のセクションにおいて、“無線ネットワークノード”及び“ＴＰ”という用語は、互換可能であると考えることができる。
【００４１】
提案される解決策は、例えば、ワイヤレス通信ネットワークが、マルチポイント送信をより良好に利用することと、無線ネットワークノード間のハンドオーバの取り扱いを改善することと、を可能にする。
【００４２】
図２は、ここでの実施形態に係る組み合わされたフローチャート及びシグナリング方式である。
【００４３】
アクション２０１。第１の無線ネットワークノード１２は、ワイヤレスデバイス１０及び第１の無線ネットワークノード１２自体を、ＢＲＳ構造（BRS  construction）を使用するように構成し、ここで、ＢＲＳは、元の時間ドメイン表現（例えば、ＯＦＤＭシンボル）にわたって、等しい長さの、ある数の反復シーケンスを含む。このＢＲＳ構造は、第２の無線ネットワークノード１３についてもさらに構成される。ＢＲＳは、サイクリックプレフィクスをさらに含んでもよく、そのサイクリックプレフィクスは、ＯＦＤＭシンボルの末尾におけるある数のサンプルの第１のサブシーケンスを含み、例えばそれはＯＦＤＭシンボル内の最後のサンプルのある数の連続的なサンプルである。よって、ＢＲＳの元の時間ドメイン表現は、ある数の同一のシーケンスを含んでもよく、又は、ＢＲＳの元の時間ドメイン表現は、各シーケンスが同数のサンプルを含む、ある数の同一のシーケンスを含み得る。上記数は、測定されるべきＢＲＳの、予期される伝搬遅延に基づいて適応的であってもよい。第１の無線ネットワークノード１２は、例えば、ここでの実施形態に従って、ＢＲＳ構造の使用を指し示すシステム情報をブロードキャストしてもよい。
【００４４】
アクション２０２。第１の無線ネットワークノード１２は、ワイヤレスデバイス１０へ、第１のサービスエリア１１にわたって、第１の同期信号を送信する。ワイヤレスデバイス１０が第１の無線ネットワークノードと同期されていることから、サービス中の第１の無線ネットワークノードからのＢＲＳは、同期中となる。よって、ワイヤレスデバイス１０は、その長さが元の時間ドメイン表現の長さに等しい、完全なＦＦＴウィンドウを常に使用するであろう。
【００４５】
アクション２０３。第２の無線ネットワークノード１３は、ワイヤレスデバイス１０へ、第２のサービスエリア１４にわたって、第２の同期信号を送信する。同期信号の生成と同期信号の間の区別とを行うために、サービスエリアのセルＩＤ又は類似のものが使用されてもよい。
【００４６】
アクション２０４。ワイヤレスデバイス１０は、受信される第１及び第２の同期信号の間の時間差を測定し、推定し、又は、取得し得る。無線ネットワークノード群からのそれら同期信号は、合理的な大きさの地理的エリアに少なくともわたって一意であってよく、それにより、それら同期信号は、必要なタイミング情報を与えると共に、対応する各無線ネットワークノード及び対応する送信されたＢＲＳとを識別する。
【００４７】
アクション２０５。ワイヤレスデバイス１０は、次いで、第１の無線ネットワークノード１２へ、受信される第１の同期信号と第２の同期信号との間の時間差を指し示す受信情報を送信する。
【００４８】
アクション２０６。第１の無線ネットワークノード１２は、次いで、受信される受信情報に基づいて、ワイヤレスデバイス１０が第２の無線ネットワークノード１３からいかに離れているのか、又は、実際に、当該ワイヤレスデバイスが第２の無線ネットワークノード１３とどの程度非同期的であるのか、を判定し得る。
【００４９】
アクション２０７。この判定から、第１の無線ネットワークノード１２は、ワイヤレスデバイス１０が受信可能な、第２の無線ネットワークノード１３の第２のＢＲＳのサンプルの反復シーケンスの期待される数を推定し又は判定する。
【００５０】
アクション２０８。第１の無線ネットワークノード１２は、ワイヤレスデバイス１０へ、第２のＢＲＳのサンプルの反復シーケンスの期待される数を指し示す標識を送信する。例えば、第１の無線ネットワークノードは、ワイヤレスデバイス１０へ、第２の無線ネットワークノードから届く第２のＢＲＳについてのＦＦＴウィンドウサイズをシグナリングし得る。ＦＦＴウィンドウサイズは、タイミング差を考慮することで推定され、例えば、ＦＦＴウィンドウサイズは、第２のＢＲＳの１つの反復シーケンスの長さに対応するサンプル数を用いて低減される。よって、当該ＦＦＴウィンドウサイズは、第１のＢＲＳについてのＦＦＴウィンドウサイズに比べ、例えば、第２のＢＲＳについての１つの反復シーケンス分だけ低減され得る。
【００５１】
留意されるべきこととして、ワイヤレスデバイス１０が測定する対象の、同じ無線ネットワークノード又は複数個の無線ネットワークノードからの複数のＢＲＳが存在しててもよい。よって、第１の無線ネットワークノード１２は、ワイヤレスデバイスが受信情報を報告した対象の各無線ネットワークノードについて、有効ＦＦＴウィンドウサイズとしても知られる反復シーケンスの期待される数を送信し得る。
【００５２】
ＢＲＳの構造（structure）は、ワイヤレス通信ネットワークの全体にわたって同じである。よって、ＢＲＳを構成するシーケンス反復の数は、ネットワーク全体の構成パラメータであり得る。ＢＲＳの生成と、ＢＲＳ間の区別とを行うために、セルＩＤ又は類似のものが使用されてもよい。そのため、ワイヤレスデバイス１０は、同期信号を聴取し及び復号すると、その無線ネットワークノードから送信されるＢＲＳがどのようなものであるかについても正確に知得する。全ての無線ネットワークノードにとって、全ての隣接セルのセルＩＤが既知であってもよい。
【００５３】
アクション２０９。ワイヤレスデバイス１０は、標識を受信し、それに従って、例えば、ＦＦＴウィンドウを構成し得る。
【００５４】
アクション２１０。第１の無線ネットワークノード１２は、構成されるＢＲＳ構造を有する第１のＢＲＳを送信する。即ち、第１の無線ネットワークノード１２は、例えば、ある数のサンプルの第１のサブシーケンスを含むＣＰと、それに続く、シンボルインターバルにわたる、ある数の反復シーケンスとを有する第１のＢＲＳを送信する。
【００５５】
アクション２１１。加えて、第２の無線ネットワークノード１３は、構成されるＢＲＳ構造を有する第２のＢＲＳを送信する。即ち、第２の無線ネットワークノード１３は、例えば、ある数のサンプルの第１のサブシーケンスを含むＣＰと、それに続く、シンボルインターバルにわたる、ある数の反復シーケンスとを有する第２のＢＲＳを送信する。次いで、ワイヤレスデバイス１０は、第２の無線ネットワークノード１３から、当該第２のＢＲＳを受信するが、指示された長さのＦＦＴウィンドウを適用する。よって、ワイヤレスデバイス１０は、アクション２０９において構成された、長さが低減されたＦＦＴウィンドウにおいて、期待される数の第２のＢＲＳのサンプルの反復シーケンスを受信する。例えば、ワイヤレスデバイス１０は、第２のＢＲＳについての有効な時間ドメイン表現が、例えば、１つの反復シーケンス分だけ低減された、第１のＢＲＳの元の時間ドメイン表現であるものと見なす。
【００５６】
アクション２１２。ワイヤレスデバイス１０は、次いで、第１及び第２のＢＲＳの強度又は品質の測定（例えば、受信エネルギ又はＳＩＮＲなどの測定）を行い得る。一例として、ワイヤレスデバイス１０は、元の時間ドメイン表現にわたる４つの反復シーケンスのうちの、第２のＢＲＳの残りの３つの反復シーケンスを使用して測定を実行し得る。
【００５７】
アクション２１３。ワイヤレスデバイス１０は、さらに、第１の無線ネットワークノード１２へ測定報告を送信し得る。当該測定報告は、第１及び第２のＢＲＳの測定される強度又は品質を指し示す。
【００５８】
アクション２１４。第１の無線ネットワークノード１２は、次いで、ハンドオーバ計画、データ送信計画などといったネットワーク計画の実行時に、受信される測定報告を使用し得る。第１の無線ネットワークノード１２は、同期中である受信機について完全な長さのＢＲＳが使用されたとした場合の状況を反映するように、より短いＢＲＳの使用時に測定された強度又は品質をスケーリングしてもよい。
【００５９】
図３ａに、ＢＲＳ設計を示す。既存の設計において、ＢＲＳは、時間ドメインシーケンスＳとして与えられるＮ個のサンプルから成り得る。ここでＮは、１つのＯＦＤＭシンボルの長さである。典型的には、Ｎ＝２０４８であり、そして、これは受信信号を時間ドメインから周波数ドメインへ変換するために使用されるＦＦＴの長さでもある。送信の前に、当該Ｎ個のサンプルの前にＣＰが追加される。これは、Ｎ個のサンプルの元のシーケンスの末尾から取られたＮＣＰ個のサンプルからなる。ＮＣＰの典型的な値は、ＮＣＰ＝１４４である。例示のため、図３ａの上部を参照されたい。
【００６０】
ＣＰの長さは、受信機における受信信号の遅延に対する寛容性を左右する。本質的に、ＣＰの時間長は遅延寛容性を与える。ＣＰが長くなるほど、受信機において単一の時間同期を使用して取り扱うことのできる遅延が長くなる。しかしながら、ＣＰがより長くなるということは、チャネルの一層効率的でない使用と、達成可能な最大データレートの低下とを意味する。
【００６１】
ワイヤレスデバイス１０内の受信機と時間同期されていない第２の無線ネットワークノード１３からのＢＲＳを測定するケースでは、信号がＣＰの長さを超えて遅延していない場合、測定は依然として正確である。ここでの実施形態によると、さらに遠く離れた無線ネットワークノードからのＢＲＳについての測定の実行を可能にするために、ここでは、ＢＲＳの特別な設計を提供する。Ｓと表記される、ＢＲＳの時間ドメイン表現は、各々の長さがＮ／ｎであるｎ個の同一のシーケンスＳ’からなるように構築され得る。このことは、図３ａにおいてｎ＝４を使用して示されており、この例では、これによってＳ’の長さがＮ’＝２０４８／４＝５１２サンプルとなる。
【００６２】
ワイヤレスデバイス１０は、通常のＣＰよりも大きな伝搬遅延を潜在的に有する無線ネットワークノードから発生する、この設計のＢＲＳを自身が測定していることを知得しているとき、図３ｂに示す以下の技法を利用することができる。ＢＲＳの有効な時間ドメインシーケンスが、Ｓ’の後ろからｎ−１回分の反復であることを考慮されれたい。これは、１５３６個のサンプルからなる。すると、この信号についての実効ＣＰは、元のＣＰにＳ’の最初のインスタンスを加えたものと見ることができ、実質的に、１４４＋５１２＝６５６サンプルというＣＰ長をもたらす。このことは、遅延寛容性を実質的に増大させ、よって、さらに遠く離れて位置してる無線ネットワークノードからのＢＲＳの、ワイヤレスデバイス１０における測定を可能にする。
【００６３】
ワイヤレスデバイスは、無線ネットワークノードから来る同期信号の、時間相関又はいくつかの他の測定を実行することにより、受信することが期待されるシーケンスの数を判定し得る。他の無線ネットワークノードからの同期信号が聞こえない場合、ＢＲＳが聞こえるであろう可能性は僅少である。典型的には、ワイヤレスデバイス１０は、常に稼働していて、且つ、何らかの利用可能な同期信号を絶えず探索する時間ドメイン相関器を有しており、そのため、ワイヤレスデバイス１０は、近傍の無線ネットワークノードを発見する相応の可能性を有することになり、相関処理が遅延の推定値をも与える。このことは、利用すべきＢＲＳのシーケンスの数を推論することができることを意味する。
【００６４】
どういった無線ネットワークノード（ＴＰなど）について測定を行うべきかについての情報もまた、第１の無線ネットワークノード１２によりワイヤレスデバイス１０へシグナリングされてよく、なぜなら第１の無線ネットワークノードはこの知識を有しているからである。
【００６５】
ＢＲＳシーケンスの短縮された実効的な長さは、より短いＦＦＴが使用され得ること、よって、受信機において収集され得る潜在的な信号エネルギがより少なくなること、を意味するが、ここでの実施形態は、隣接する無線ネットワークノードからのＢＲＳについて測定を行うことを可能とし、それにより、ワイヤレスデバイス１０の受信機を再同期させる必要なく、無線ネットワークノードにおけるマルチＴＰ及びハンドオーバの取り扱いを容易にする。より短いシーケンスの使用時に取得される実際のＢＲＳ−ＲＰ値は、同期中である受信機について完全な長さのシーケンスが使用されたとした場合の状況を反映するようにスケーリングされることができる。
【００６６】
反復されるシーケンスＳ’の反復の回数ｎは、実効ＣＰの、あり得る所望の長さに依存して、調節可能であってもよい。反復が多くなるほど、実効ＣＰの粒度はより精細となり、その場合に、実効ＣＰに１つよりも多くのＳ’を含めることを常に選択することができる。しかしながら、シーケンス長が短くなるにつれ、各ＢＲＳ内のサブキャリアの実質的な数は少なくなり、よって、ＢＲＳシーケンスを良好な相互距離の特性と共に構築するための自由度が減少する。
【００６７】
結論として、Ｓ’の長さ、あるいは別の言葉で言うと反復の回数ｎに加えて、実効ＣＰにおいて利用される反復の回数もまた、測定すべきＢＲＳの期待される伝搬遅延に基づいて適応的であることが可能である。この情報は、例えば、異なる複数のＴＰからの同期信号を探索する時間ドメイン相関器から利用可能であり得る。以下を参照されたい。
【００６８】
典型的な都市部のシナリオにおいて、ワイヤレスデバイスは、“ストリートキャニオン”とも言われる、高層建造物に囲まれた街路に沿って移動しているかもしれない。例えば、ワイヤレスデバイス１０は、サービング無線ネットワークノード１２に対して見通し線（ＬｏＳ）条件を有するが、サービング無線ネットワークノード１２から離れて移動している。ワイヤレスデバイス１０が、例えば街角に近付くと、“角を曲がったところに”位置している異なる無線ネットワークノードからの信号が、突然強くなり得る。このシナリオでは、当該異なる無線ネットワークノードからの伝搬遅延が、サービング無線ネットワークノード１２からのものよりも（一段と）短いことがかなり確実である。
【００６９】
この状況において、ワイヤレスデバイス１０が、当該異なる無線ネットワークノードからの強度又は品質を正確に測定可能であれば有益であろう。しかしながら、より短い伝搬遅延である場合、信号が“あまりにも早期に”到来し、当該信号を、ＣＰが提供する遅延寛容性の仕組みを使用して正確に測定することができない。この状況において、ここでの実施形態に従って、ある数の短いシーケンスとしてのＳの構造がやはり解決策を提供する。図３ｃを参照されたい。ここでは、ＢＲＳの有効な時間ドメインシーケンスが、元のＣＰに、Ｓ’のｎ−１回の反復を加えたものであって、１４４＋３＊５１２＝１６８０サンプルからなることを考慮されたい。あるいは、上記の遅延のケースと同じ長さのＦＦＴを有する目的で、有効な時間ドメインシーケンスが、Ｓ’のｎ−１回の反復を含み、但しＣＰを有しないものとする。しかしながら、送信されるＢＲＳは、依然としてｎ回の反復を含む。
【００７０】
異なる無線ネットワークノードのこのＢＲＳシーケンスを、ＦＦＴウィンドウであって、その冒頭が、サービング無線ネットワークノード１２の同期に従って位置付けられている当該ＦＦＴウィンドウを使用して受信すると、１つのＳ’の長さに相当する早期の到来を許容することができる。何が生じたかと言うと、反復シーケンスの最後の反復Ｓ’が、今度は充分早期に到来してＦＦＴウィンドウの末尾に位置するものの、次のサブフレームに属する望ましくない信号は１６８０又は１５３６サンプルの短縮されたＦＦＴウィンドウが使用されていることから包含されない、ということである。
【００７１】
明白なこととして、Ｓ’のｎ−２回以下の反復に相当する長さを有するＦＦＴウィンドウを利用することにより、より極端に早期の到来についてさえも測定を行うことができる。上の適応可能性についての考察は、早期に到来するシナリオにも適用される。
【００７２】
図４は、いくつかのここでの実施形態に係る組み合わされたフローチャート及びシグナリング方式である。
【００７３】
アクション４０１。第１の無線ネットワークノード１２は、第１のサービスエリア１１において、第１のＢＲＳ及び第１の同期信号といった信号を送信する。
【００７４】
アクション４０２。第２の無線ネットワークノード１３は、第２のサービスエリア１４において、第２のＢＲＳ及び第２の同期信号といった信号を送信する。
【００７５】
アクション４０３。ワイヤレスデバイス１０は、第２の無線ネットワークノードから遠く離れており、通常のＣＰから外れるＢＲＳの測定を控え得るが、同期信号及びＢＲＳの受信情報を取得する。その受信情報は、例えば、同期に関するタイミング情報、又は、ワイヤレスデバイス１０がＢＲＳを受信可能であるか、である。よって、前のサブフレームからのサンプルが、ワイヤレスデバイス１０において、第２の無線ネットワークノード１３からのＢＲＳのＦＦＴウィンドウ内に到来する。即ち、ＢＲＳが遅く到達するときに、たとえＣＰがＢＲＳの最後のサンプルに取って代わることが可能であっても、ＣＰの到来があまりにも遅いため、ＣＰの最初のサンプルは、ＦＦＴウィンドウの最初のサンプルよりも遅く到達し、よって、ＦＦＴウィンドウの冒頭は、前のサブフレームからのサンプルによって“汚染される”。ワイヤレスデバイス１０は、例えば、第１の無線ネットワークノード１２からの同期信号相関又は上位レイヤシグナリングを介して取得されるタイミング情報に基づいて、ＢＲＳの測定を試みることが有用であるか否かを判定し得る。
【００７６】
アクション４０４。ワイヤレスデバイス１０は、次いで、この受信情報を報告し得る。例えば、ワイヤレスデバイス１０は、多様な種類のタイミング情報を、第１の無線ネットワークノード１２へ折り返し報告し得る。ワイヤレスデバイス１０は、異なる無線ネットワークノードからの同期信号の間のタイミング差を推定してよく、よって、同期信号の受信に基づいて、タイミング情報を取得する。このことは、時間ドメイン相関器を使用して行われてよく、よって、様々な遅延の影響を受けやすい、ＦＦＴウィンドウの固有の配置には依拠しない。
【００７７】
サービスしている第１の無線ネットワークノード１２に同期される受信機に基づき、ワイヤレスデバイス１０は、追加的に又は代替的に、いかなる受信機の調節も行わずに、又は、実効ＣＰを利用せずに、自身が他のどの無線ネットワークノードについてＢＲＳを測定することができるかを報告し得る。
【００７８】
アクション４０５。第１の無線ネットワークノード１２は、次いで、受信される受信情報に基づいて、ネットワーク計画を実行し得る。第１の無線ネットワークノード１２へ報告される、上記の種類の受信情報は、図２において上で説明した方法を適応的に調節する入力として使用されることができる。さらに、第１の無線ネットワークノード１２は、どの無線ネットワークノード（ＴＰなど）が、ワイヤレスデバイス１０のために使用されるべきであるのかを計画し得る。例えば、測定可能な何らかのＢＲＳが、新規のシーケンス設計及び短縮されたＦＦＴウィンドウを使用して又は使用することなく、様々なビームがどの程度強いかに関する入力を提供する。よって、より良好なハンドオーバの取り扱い及び結合送信を、ワイヤレス通信ネットワークにおいて達成することができる。
【００７９】
図４の実施形態の目的は、第１の無線ネットワークノード１２といったワイヤレス通信ネットワーク１に対し、例えば、ワイヤレスデバイス１０における、異なる無線ネットワークノード間のタイミング関係についてのより良好な情報を提供することである。このことは、例えば、無線ネットワークノードからのマルチＴＰ送信についてだけでなく、無線ネットワークノード間のハンドオーバをいかに取り扱うかについて、より良好に計画する可能性をもたらす。上述の実施形態を所与として、ワイヤレス通信ネットワーク１が取得し得る様々なタイプの知識の例は次の通りである：無線ネットワークノードからのどの信号が、ワイヤレスデバイス１０のその時点の同期を使用して受信することができるのか；時間ドメインにおいて反復されるシーケンスからなる、より長い実効ＣＰ及び／又はＢＲＳを使用することにより、どの無線ネットワークノードについて測定が可能であるのか、例えば、ＢＲＳ−ＲＰの測定が可能であるのか、並びに、ワイヤレスデバイス１０がこのような無線ネットワークノードに同期されている場合に、その、測定されるＢＲＳ−ＲＰはどのようなものか；受信されるタイミング情報から、他の無線ネットワークノードに比べてタイミングオフセットがどの程度の量なのか。これらは、第１の無線ネットワークノード１２に、ワイヤレスデバイスに受信されるタイミング情報に基づいて同期を第２の無線ネットワークノード１３へ変更するように指示すべきか又はランダムアクセスコマンドを発行すべきかに関する情報を与える。
【００８０】
図５は、ここでの実施形態に係るワイヤレス通信ネットワーク１におけるシグナリングを管理するための、第１の無線ネットワークノード１２により実行される方法を描いた概略的なフローチャートである。アクションは、以下に述べられる順序で行われる必要はなく、むしろ、任意の適切な順序で行われてよい。いくつかの実施形態において実行されるアクションには、点線のボックスを用いて印が付けられている。シグナリングの管理とは、例えば、ハンドオーバを実行するか否か、データを１つ以上の無線ネットワークノードからワイヤレスデバイスへ送信すべきか、ハンドオーバをいかに実行すべきか、ワイヤレス通信ネットワークを、ここでの実施形態に従ってＢＲＳの構造を用いていかに構成すべきか、を判定することであり得る。第１の無線ネットワークノード１２は、ワイヤレス通信ネットワーク１内の第１のサービスエリアにわたる無線カバレッジを提供する。
【００８１】
アクション５０１。第１の無線ネットワークノード１２は、第１のサービスエリア１１にわたって、第１の同期信号を送信し得る。よって、ワイヤレスデバイス１０が、第１のサービスエリア内に存在することから、第１の無線ネットワークノード１２は、ワイヤレスデバイス１０へ、第１の同期信号を送信し得る。このことは、図２のアクション２０２に対応する。
【００８２】
アクション５０２。第１の無線ネットワークノード１２は、第１のサービスエリアにおいて、第１のＢＲＳを送信する。当該第１のＢＲＳは、当該第１のＢＲＳの元の時間ドメイン表現にわたって、等しい長さの、ある数のサンプルの反復シーケンスを含む。第１のＢＲＳは、サイクリックプレフィクスをさらに含み得る。当該サイクリックプレフィクスは、上記数の反復シーケンスのうちの最後の反復シーケンスの一部を含む。実際に、その一部は、全ての反復シーケンスについて同じ最後の数個のサンプルであり、なぜならこれらのシーケンスが反復されており、よって、同じであるためである。第１のＢＲＳの元の時間ドメイン表現は、１つのＯＦＤＭシンボルであり得る。このことは、図２のアクション２１０に対応する。
【００８３】
アクション５０３。第１の無線ネットワークノード１２は、次いで、ワイヤレスデバイス１０から、第１の同期信号と第２のサービスエリアにわたる無線カバレッジを提供する第２の無線ネットワークノード１３からの第２の同期信号とに関する受信情報を受信し得る。当該受信情報は、ワイヤレスデバイスでの受信される第１及び第２の同期信号の間のタイミング差に関するタイミング情報を指し示す。
【００８４】
アクション５０４。第１の無線ネットワークノード１２は、さらに、受信される受信情報に基づいて、ワイヤレスデバイスが受信可能な、第２の無線ネットワークノード１３の第２のＢＲＳのサンプルの反復シーケンスの期待される数を推定し得る。このことは、図２のアクション２０７に対応する。
【００８５】
アクション５０５。第１の無線ネットワークノード１２は、さらに、ワイヤレスデバイス１０へ、第２のＢＲＳのサンプルの反復シーケンスの期待される数を指し示す標識を送信し得る。このことは、図２のアクション２０８に対応する。
【００８６】
アクション５０６。第１の無線ネットワークノード１２は、ワイヤレスデバイス１０から、測定報告を受信し得る。当該測定報告は、ワイヤレスデバイス１０での、第１のＢＲＳ及び第２のＢＲＳの受信される強度又は品質を指し示す。
【００８７】
アクション５０７。第１の無線ネットワークノード１２は、次いで、測定報告に基づいて、ネットワーク計画を実行し得る。例えば、第１の無線ネットワークノード１２は、測定報告に基づいて、ワイヤレスデバイス１０の、第２の無線ネットワークノード１３へのハンドオーバといったモビリティ処理を実行すべきか、又はいかに実行すべきかを判定し得る。このことは、図２のアクション２１４に対応する。
【００８８】
図６は、ここでの実施形態に係るワイヤレス通信ネットワーク１におけるシグナリングを管理するための、ワイヤレスデバイス１０により実行される方法を描いた概略的なフローチャートである。アクションは、以下に述べる順序で行われる必要はなく、むしろ、任意の適切な順序で行われてよい。いくつかの実施形態において実行されるアクションには、点線のボックスを用いて印が付けられている。
【００８９】
アクション６０１。ワイヤレスデバイス１０は、第１の無線ネットワークノード１２から、第１の同期信号を受信し得る。
【００９０】
アクション６０２。ワイヤレスデバイス１０は、第１の無線ネットワークノード１２から、ワイヤレス通信ネットワーク１の第１のサービスエリア１１において、第１のＢＲＳを受信する。当該第１のＢＲＳは、当該第１のＢＲＳの元の時間ドメイン表現にわたって、等しい長さの、ある数のサンプルの反復シーケンスを含む。第１のＢＲＳは、サイクリックプレフィクスをさらに含み得る。当該サイクリックプレフィクスは、上記数の反復シーケンスのうちの最後の反復シーケンスの一部を含む。
【００９１】
アクション６０３。ワイヤレスデバイス１０は、第２のサービスエリア１４にわたる無線カバレッジを提供する第２の無線ネットワークノード１３から、第２の同期信号を受信し得る。
【００９２】
アクション６０４。ワイヤレスデバイス１０は、第１の無線ネットワークノード１２へ、第１の同期信号及び第２の同期信号に関する受信情報を送信し得る。当該受信情報は、受信される第１及び第２の同期信号の間のタイミング差に関するタイミング情報を指し示す。このことは、図２のアクション２０５に対応する。
【００９３】
アクション６０５。ワイヤレスデバイス１０は、次いで、第１の無線ネットワークノード１２から、ワイヤレスデバイスが受信可能な、第２の無線ネットワークノード１３からの第２のＢＲＳのサンプルの反復シーケンスの期待される数を指し示す標識を受信し得る。
【００９４】
アクション６０６。ワイヤレスデバイス１０は、第２の無線ネットワークノードから、高速フーリエ変換ウィンドウにおいて、期待される数の第２のＢＲＳのサンプルの反復シーケンスをさらに受信し得る。当該ＦＦＴウィンドウは、受信される標識に基づいたサイズを有する。
【００９５】
アクション６０７。ワイヤレスデバイス１０は、第１及び第２のＢＲＳの強度又は品質を測定し得る。このことは、図２のアクション２１２に対応する。
【００９６】
アクション６０８。ワイヤレスデバイス１０は、第１の無線ネットワークノード１２へ、測定報告を送信し得る。当該測定報告は、第１及び第２のＢＲＳの測定される強度又は品質を指し示す。このことは、図２のアクション２１３に対応する。
【００９７】
いくつかのここでの実施形態は、よって、ワイヤレス通信ネットワークにおけるシグナリングを管理するための、第１の無線ネットワークノードにより実行される方法を提供する。第１の無線ネットワークノードは、ワイヤレス通信ネットワーク内のビーム／セル／サービスエリアにおいて、ビームリファレンス信号（ＢＲＳ）を送信する。当該ＢＲＳは、当該ＢＲＳの、ＯＦＤＭシンボルといった元の時間ドメイン表現にわたって、等しい長さの、ある数のサンプルの反復シーケンスを含む。ＢＲＳは、上記数の反復シーケンスのうちの最後の反復シーケンスの一部というサイクリックプレフィクスをさらに含み得る。ここでは、ワイヤレス通信ネットワークにおけるシグナリングを管理するための、ワイヤレスデバイス１０により実行される、対応する方法が、さらに提供される。ワイヤレスデバイスは、ワイヤレス通信ネットワーク内のビーム／セル／サービスエリアにおいて、ＢＲＳを受信する。そのＢＲＳは、当該ＢＲＳの、ＯＦＤＭシンボルといった、元の時間ドメイン表現にわたって、ある数の反復シーケンスを含む。よって、いくつかの実施形態は、第１の無線ネットワークノードと同期中であるワイヤレスデバイスによってＢＲＳが受信可能であるように当該ＢＲＳを構築することと、次いで、サイクリックプレフィクス（ＣＰ）及び通常の信号処理を利用してＢＲＳを送信することと、に関連する。しかしながら、第２のＢＲＳは、同時に、より一段と長いＣＰを利用して、第２の無線ネットワークノードとは若干同期外れであるワイヤレスデバイスによって受信され得る。このことは、第１及び第２のＢＲＳが、例えば１つのＯＦＤＭシンボルの期間中に複数回反復される、より短いシーケンスを含むように、当該第１及び第２のＢＲＳを構築することによって達成される。
【００９８】
図７は、ここでの実施形態に係るワイヤレス通信ネットワーク１におけるシグナリングを管理するための、第１の無線ネットワークノード１２により実行される方法を描いた概略的なフローチャートである。第１の無線ネットワークノードは、第１のサービスエリア１１にわたる無線カバレッジを提供し、ワイヤレスデバイス１０にサービスする。
【００９９】
アクション７０１。第１の無線ネットワークノード１２は、ワイヤレスデバイス１０へ、第１のＢＲＳ及び第１の同期信号を送信する。このことは、図４のアクション４０１に対応する。
【０１００】
アクション７０２。第１の無線ネットワークノード１２は、ワイヤレスデバイス１０から、第１のＢＲＳ及び第１の同期信号と第２のサービスエリア１４にわたる無線カバレッジを提供する第２の無線ネットワークノードからの第２のＢＲＳ及び第２の同期信号とに関する受信情報を受信する。受信情報は、ワイヤレスデバイスでの受信される第１及び第２の同期信号の間のタイミング差に関するタイミング情報を指し示し、並びに／又は、受信情報は、ワイヤレスデバイス１０が第１及び第２のＢＲＳを受信したことを指し示す。
【０１０１】
アクション７０３。第１の無線ネットワークノード１２は、ワイヤレスデバイス１０から、測定報告を受信し得る。当該測定報告は、第１及び第２のＢＲＳの強度又は品質を指し示す。
【０１０２】
アクション７０４。第１の無線ネットワークノード１２は、受信情報に基づいて、ネットワーク計画を実行する。加えて、第１の無線ネットワークノード１２は、受信される測定報告をさらに考慮することにより、ネットワーク計画を実行してもよい。第１の無線ネットワークノード１２は、受信される受信情報に基づいて、第１及び第２の無線ネットワークノードの間の切り替え時に、ランダムアクセス手続を要するのか、それとも、同期すべき同期信号の切り替えを要するのか、を判定することにより、ネットワーク計画を実行してもよい。このことは、図４のアクション４０５に対応する。
【０１０３】
図８は、ここでの実施形態に係るワイヤレス通信ネットワーク１におけるシグナリングを管理するための、ワイヤレスデバイス１０により実行される方法を描いた概略的なフローチャートである。アクションは、以下に述べる順序で行われる必要はなく、むしろ、任意の適切な順序で行われてよい。いくつかの実施形態において実行されるアクションには、点線のボックスを用いて印が付けられている。ワイヤレスデバイス１０は、第１のサービスエリア１１にわたる無線カバレッジを提供する第１の無線ネットワークノードによりサービスされる。
【０１０４】
アクション８０１。ワイヤレスデバイス１０は、第１の無線ネットワークノード１２から、第１のＢＲＳ及び第１の同期信号を受信する。
【０１０５】
アクション８０２。ワイヤレスデバイス１０は、第２のサービスエリア１４にわたる無線カバレッジを提供する第２の無線ネットワークノード１３から、第２のＢＲＳ及び第２の同期信号を受信する。
【０１０６】
アクション８０３。ワイヤレスデバイス１０は、次いで、第１の無線ネットワークノード１２へ、第１のＢＲＳ及び第１の同期信号と第２のＢＲＳ及び第２の同期信号とに関する受信情報を送信する。受信情報は、受信される第１及び第２の同期信号の間のタイミング差に関するタイミング情報を指し示し、並びに／又は、受信情報は、ワイヤレスデバイス１０が第１及び第２のＢＲＳを受信したことを指し示す。各ノードから、複数個のＢＲＳが存在してもよい。このことは、図４のアクション４０４に対応する。
【０１０７】
アクション８０４。ワイヤレスデバイス１０は、第１及び第２のＢＲＳの強度又は品質を測定する。例えば、ワイヤレスデバイスは、受信される電力又はエネルギを測定してもよい。
【０１０８】
アクション８０５。ワイヤレスデバイス１０は、第１の無線ネットワークノードへ、第１及び第２のＢＲＳの測定される強度又は品質を指し示す測定報告を送信する。
【０１０９】
よって、ここでは、ワイヤレス通信ネットワーク１におけるシグナリングを管理するための、ワイヤレスデバイスにより実行される方法が提供される。ワイヤレスデバイスは、第１のサービスエリアにわたる無線カバレッジを提供する第１の無線ネットワークノードによりサービスされる。
【０１１０】
ワイヤレスデバイスは、第１の無線ネットワークノードから、第１のＢＲＳ及び第１の同期信号を受信する。さらに、ワイヤレスデバイスは、第２のサービスエリアにわたる無線カバレッジを提供する第２の無線ネットワークノードから、第２のＢＲＳ及び第２の同期信号を受信する。ワイヤレスデバイスは、第１の無線ネットワークノードへ、受信される第１のＢＲＳ又は同期信号と受信される第２のＢＲＳ又は同期信号とに関する受信情報を送信する。当該受信情報は、受信される同期信号の間のタイミング差か、又は、ワイヤレスデバイスが第１及び第２のＢＲＳを受信したこと、を指し示す。
【０１１１】
ここでは、ワイヤレス通信ネットワークにおけるシグナリングを管理するための、第１の無線ネットワークノードにより実行される、対応する方法も提供される。第１の無線ネットワークノードは、第１のサービスエリアにわたる無線カバレッジを提供し、ワイヤレスデバイスにサービスする。第１の無線ネットワークノードは、ワイヤレスデバイスへ、第１のＢＲＳ及び第１の同期信号を送信する。第１の無線ネットワークノードは、次いで、ワイヤレスデバイスから、第１のＢＲＳ又は同期信号と第２のサービスエリアにわたる無線カバレッジを提供する第２の無線ネットワークノードからの第２のＢＲＳ又は同期信号とに関する受信情報を受信する。当該受信情報は、受信される同期信号の間のタイミング差か、又は、ワイヤレスデバイスが第１及び第２のＢＲＳを受信したこと、を指し示す。
【０１１２】
第１の無線ネットワークノードは、次いで、受信される受信情報から、例えば、無線ネットワークノード間の切り替え時に、ランダムアクセス手続を要するのか、それとも、利用される同期信号の再選択を要するのか、を推論し得る。
【０１１３】
よって、いくつかのここでの実施形態は、異なる無線ネットワークノードから来る同期信号の間のタイミング差を解析することと、当該タイミング差を第１の無線ネットワークノードへ折り返し報告することと、に関連する。代替的に、第１の無線ネットワークノードは、受信情報に基づいて、ワイヤレスデバイスが同時に接続することができるのはどのＢＲＳであるのか、よって、どの無線ネットワークノードであるのか、を解析する。このことは、無線ネットワークノードがネットワーク計画を実行すること、例えば、いかなる特別な構成をも用いずに、ワイヤレスデバイスがそれについて測定することができるのはどのＢＲＳかを推論することと、その後、ワイヤレスデバイスを同時に接続することができるのはどの無線ネットワークノードであるのか、又は、無線ネットワークノード間の切り替え時に、ランダムアクセス手続を要するのか、それとも、利用される同期信号の再選択を要するのか、を推論することと、を可能にする。
【０１１４】
図９は、ここでの実施形態に係るワイヤレス通信ネットワーク１におけるシグナリングを管理するための第１の無線ネットワークノード１２を描いたブロック図である。第１の無線ネットワークノードは、ワイヤレス通信ネットワーク１内の第１のサービスエリア１１にわたる無線カバレッジを提供する、ように構成される。
【０１１５】
第１の無線ネットワークノード１２は、処理ユニット９０１、例えば１つ以上のプロセッサを含み得る。
【０１１６】
第１の無線ネットワークノード１２は、送信機又は送受信機といった、送信モジュール９０２を含み得る。第１の無線ネットワークノード１２、処理ユニット９０１、及び／又は送信モジュール９０２は、第１のサービスエリア１１において、例えばワイヤレスデバイス１０へ、第１のＢＲＳを送信する、ように構成され得る。第１のＢＲＳは、当該第１のＢＲＳの元の時間ドメイン表現にわたって、等しい長さの、ある数のサンプルの反復シーケンスを含む。第１のＢＲＳは、サイクリックプレフィクスをさらに含み、当該サイクリックプレフィクスは、上記数の反復シーケンスのうちの最後の反復シーケンス又はいずれかの反復シーケンスの、一部、例えば最後の部分を含む。第１の無線ネットワークノード１２、処理ユニット９０１、及び／又は送信モジュール９０２は、第１のサービスエリア１１にわたって、第１の同期信号を送信する、ようにさらに構成され得る。第１のＢＲＳの元の時間ドメイン表現は、ＯＦＤＭシンボルであり得る。
【０１１７】
第１の無線ネットワークノード１２は、受信機又は送受信機といった、受信モジュール９０３を含み得る。第１の無線ネットワークノード１２、処理ユニット９０１、及び／又は受信モジュール９０３は、ワイヤレスデバイス１０から、第１の同期信号と第２のサービスエリア１４にわたる無線カバレッジを提供する第２の無線ネットワークノード１３からの第２の同期信号とに関する受信情報を受信する、ように構成され得る。当該受信情報は、ワイヤレスデバイスでの受信される第１及び第２の同期信号の間のタイミング差に関するタイミング情報を指し示し得る。
【０１１８】
第１の無線ネットワークノード１２は、推定モジュール９０４を含み得る。第１の無線ネットワークノード１２、処理ユニット９０１、及び／又は推定モジュール９０４は、受信される受信情報に基づいて、ワイヤレスデバイス１０が受信可能な、第２の無線ネットワークノード１３の第２のＢＲＳのサンプルの反復シーケンスの期待される数を推定する、ように構成され得る。
【０１１９】
第１の無線ネットワークノード１２、処理ユニット９０１、及び／又は送信モジュール９０２は、ワイヤレスデバイス１０へ、第２のＢＲＳのサンプルの反復シーケンスの期待される数を指し示す標識を送信する、ように構成され得る。
【０１２０】
第１の無線ネットワークノード１２、処理ユニット９０１、及び／又は受信モジュール９０３は、ワイヤレスデバイスから、測定報告を受信する、ように構成され得る。当該測定報告は、ワイヤレスデバイス１０での、第１のＢＲＳ及び第２のＢＲＳの受信される強度又は品質を指し示す。
【０１２１】
第１の無線ネットワークノード１２は、実行モジュール９０５を含み得る。第１の無線ネットワークノード１２、処理ユニット９０１、及び／又は実行モジュール９０５は、測定報告に基づいて、ネットワーク計画を実行する、ように構成され得る。例えば、第１の無線ネットワークノード１２、処理ユニット９０１、及び／又は実行モジュール９０５は、測定報告に基づいて、ワイヤレスデバイス１０の、第２の無線ネットワークノード１３へのモビリティ処理を実行すべきか、又は、いかに実行すべきか、を判定する、ように構成され得る。
【０１２２】
いくつかの実施形態によると、第１の無線ネットワークノードは、第１のサービスエリア１１にわたる無線カバレッジを提供し、ワイヤレスデバイス１０にサービスする、ように構成される。
【０１２３】
第１の無線ネットワークノード１２、処理ユニット９０１、及び／又は送信モジュール９０２は、ワイヤレスデバイス１０へ、第１のＢＲＳ及び第１の同期信号を送信する、ように構成され得る。
【０１２４】
第１の無線ネットワークノード１２、処理ユニット９０１、及び／又は受信モジュール９０３は、ワイヤレスデバイス１０から、第１のＢＲＳ及び第１の同期信号と第２のサービスエリア１４にわたる無線カバレッジを提供する第２の無線ネットワークノード１３からの第２のＢＲＳ及び第２の同期信号とに関する受信情報を受信する、ように構成され得る。受信情報は、ワイヤレスデバイスでの受信される第１及び第２の同期信号の間のタイミング差に関するタイミング情報を指し示し、並びに／又は、受信情報は、ワイヤレスデバイス１０が第１及び第２のＢＲＳを受信したことを指し示す。
【０１２５】
上に述べたように、第１の無線ネットワークノード１２、処理ユニット９０１、及び／又は実行モジュール９０５は、受信情報に基づいて、ネットワーク計画を実行する、ように構成され得る。
【０１２６】
第１の無線ネットワークノード１２、処理ユニット９０１、及び／又は受信モジュール９０３は、ワイヤレスデバイスから、測定報告を受信する、ように構成され得る。当該測定報告は、第１及び第２のＢＲＳの強度又は品質を指し示す。上に述べたように、第１の無線ネットワークノード１２、処理ユニット９０１、及び／又は実行モジュール９０５は、受信される測定報告に基づいて、ネットワーク計画を実行する、ように構成されてもよい。
【０１２７】
上に述べたように、第１の無線ネットワークノード１２、処理ユニット９０１、及び／又は実行モジュール９０５は、受信される受信情報に基づいて、第１及び第２の無線ネットワークノードの間の切り替え時に、ランダムアクセス手続を要するのか、それとも、同期すべき同期信号の切り替えを要するのか、を判定する、ように構成されることにより、ネットワーク計画を実行する、ように構成されてもよい。
【０１２８】
第１の無線ネットワークノード１２は、メモリ９０６をさらに含む。メモリは、複数のシーケンスといったデータを記憶するように使用され、且つ、ＣＰ、ＢＲＳ、測定値、タイミング情報、受信情報、及び、実行されるとここに開示される方法を遂行するアプリケーションなど、を受け付けることが期待される、１つ以上のユニットを含む。
【０１２９】
第１の無線ネットワークノード１２についてここで説明した実施形態に係る方法は、少なくとも１つのプロセッサ上で実行された場合に、ここで説明したアクションを、第１の無線ネットワークノード１２により実行されるように、当該少なくとも１つのプロセッサに遂行させる命令、即ち、ソフトウェアコード部分を含む、例えば、コンピュータプログラム９０７又はコンピュータプログラムプロダクトという手段により、それぞれ実装される。コンピュータプログラム９０７は、コンピュータ読取可能な記憶媒体９０８、例えばディスク等に記憶され得る。コンピュータ読取可能な記憶媒体９０８は、コンピュータプログラムを記憶しており、少なくとも１つのプロセッサ上で実行された場合に、ここで説明したアクションを、第１の無線ネットワークノード１２により実行されるように、当該少なくとも１つのプロセッサに遂行させる命令を含み得る。いくつかの実施形態において、コンピュータ読取可能な記憶媒体は、非一時的なコンピュータ読取可能な記憶媒体であり得る。
【０１３０】
図１０は、ここでの実施形態に係るワイヤレス通信ネットワーク１におけるシグナリングを管理するためのワイヤレスデバイス１０を描いたブロック図である。
【０１３１】
ワイヤレスデバイス１０は、ここでの方法を実行する、ように構成される処理ユニット１００１、例えば１つ以上のプロセッサを含み得る。
【０１３２】
ワイヤレスデバイス１０は、受信機又は送受信機といった、受信モジュール１００２を含み得る。ワイヤレスデバイス１０、処理ユニット１００１、及び／又は受信モジュール１００２は、第１の無線ネットワークノード１２から、ワイヤレス通信ネットワークの第１のサービスエリア１１において、第１のＢＲＳを受信する、ように構成され得る。当該第１のＢＲＳは、当該第１のＢＲＳの元の時間ドメイン表現にわたって、等しい長さの、ある数のサンプルの反復シーケンスを含む。第１のＢＲＳは、サイクリックプレフィクスをさらに含み得る。当該サイクリックプレフィクスは、上記数の反復シーケンスのうちの最後の反復シーケンスの一部を含む。
【０１３３】
ワイヤレスデバイス１０、処理ユニット１００１、及び／又は受信モジュール１００２は、第１の無線ネットワークノード１２から、第１の同期信号を受信する、ように構成され得る。ワイヤレスデバイス１０、処理ユニット１００１、及び／又は受信モジュール１００２は、第２のサービスエリア１４にわたる無線カバレッジを提供する第２の無線ネットワークノード１３から、第２の同期信号を受信する、ようにさらに構成され得る。
【０１３４】
ワイヤレスデバイス１０は、送信機又は送受信機といった、送信モジュール１００３を含み得る。ワイヤレスデバイス１０、処理ユニット１００１、及び／又は送信モジュール１００３は、第１の無線ネットワークノード１２へ、第１の同期信号及び第２の同期信号に関する受信情報を送信する、ように構成され得る。当該受信情報は、受信される第１及び第２の同期信号の間のタイミング差に関するタイミング情報を指し示す。
【０１３５】
ワイヤレスデバイス１０、処理ユニット１００１、及び／又は受信モジュール１００２は、第１の無線ネットワークノード１２から、ワイヤレスデバイスが受信可能な、第２の無線ネットワークノード１３からの第２のＢＲＳのサンプルの反復シーケンスの期待される数を指し示す標識を受信する、ように構成され得る。
【０１３６】
ワイヤレスデバイス１０、処理ユニット１００１、及び／又は受信モジュール１００２は、第２の無線ネットワークノード１３から、ＦＦＴウィンドウにおいて、期待される数の第２のＢＲＳのサンプルの反復シーケンスを受信する、ように構成され得る。当該ＦＦＴウィンドウは、受信される標識に基づいたサイズを有する。
【０１３７】
ワイヤレスデバイス１０は、測定モジュール１００４を含み得る。ワイヤレスデバイス１０、処理ユニット１００１、及び／又は測定モジュール１００４は、第１及び第２のＢＲＳの強度又は品質を測定する、ように構成され得る。
【０１３８】
ワイヤレスデバイス１０、処理ユニット１００１、及び／又は送信モジュール１００３は、第１の無線ネットワークノード１２へ、測定報告を送信する、ように構成され得る。当該測定報告は、第１及び第２のＢＲＳの測定される強度又は品質を指し示す。
【０１３９】
いくつかの実施形態において、ワイヤレスデバイスは、第１のサービスエリア１１にわたる無線カバレッジを提供する第１の無線ネットワークノード１２によりサービスされる、ように構成される。
【０１４０】
ワイヤレスデバイス１０、処理ユニット１００１、及び／又は受信モジュール１００２は、第１の無線ネットワークノード１２から、第１のＢＲＳ及び第１の同期信号を受信する、ように構成され得る。ワイヤレスデバイス１０、処理ユニット１００１、及び／又は受信モジュール１００２は、第２のサービスエリア１４にわたる無線カバレッジを提供する第２の無線ネットワークノード１３から、第２のＢＲＳ及び第２の同期信号を受信する、ようにさらに構成され得る。
【０１４１】
ワイヤレスデバイス１０、処理ユニット１００１、及び／又は送信モジュール１００３は、第１の無線ネットワークノード１２へ、第１のＢＲＳ及び第１の同期信号と第２のＢＲＳ及び第２の同期信号とに関する受信情報を送信する、ように構成され得る。当該受信情報は、受信される第１及び第２の同期信号の間のタイミング差に関するタイミング情報を指し示してもよく、並びに／又は、当該受信情報は、ワイヤレスデバイス１０が第１及び第２のＢＲＳを受信したことを指し示してもよい。
【０１４２】
ワイヤレスデバイス１０、処理ユニット１００１、及び／又は測定モジュール１００４は、それぞれ第１及び第２のＢＲＳの強度又は品質を測定する、ように構成され得る。ワイヤレスデバイス１０、処理ユニット１００１、及び／又は送信モジュール１００３は、第１の無線ネットワークノード１２へ、測定報告を送信する、ように構成され得る。当該測定報告は、第１及び第２のＢＲＳの測定される強度又は品質を指し示す。
【０１４３】
ワイヤレスデバイス１０は、メモリ１００５をさらに含む。メモリは、ある数のシーケンスといったデータを記憶するように使用され、且つ、ＣＰ、ＢＲＳ、測定値、タイミング情報、受信情報、及び、実行されるとここに開示される方法を遂行するアプリケーションなど、を受け付けることが期待される、１つ以上のユニットを含む。
【０１４４】
ワイヤレスデバイス１０についてここで説明した実施形態に係る方法は、少なくとも１つのプロセッサ上で実行された場合に、ここで説明したアクションを、ワイヤレスデバイス１０により実行されるように、当該少なくとも１つのプロセッサに遂行させる命令、即ち、ソフトウェアコード部分を含む、例えばコンピュータプログラム１００６又はコンピュータプログラムプロダクトという手段により、それぞれ実装される。コンピュータプログラム１００６は、コンピュータ読取可能な記憶媒体１００７、例えばディスク等に記憶され得る。コンピュータ読取可能な記憶媒体１００７は、コンピュータプログラムを記憶しており、少なくとも１つのプロセッサ上で実行された場合に、ここで説明したアクションを、ワイヤレスデバイス１０により実行されるように、当該少なくとも１つのプロセッサに遂行させる命令を含み得る。いくつかの実施形態において、コンピュータ読取可能な記憶媒体は、非一時的なコンピュータ読取可能な記憶媒体であり得る。
【０１４５】
いくつかの実施形態においては、より一般的な用語である“無線ネットワークノード”が使用され、この用語は、ＵＥ及び／又は別のネットワークノードと通信する、任意のタイプの無線ネットワークノード又は任意のネットワークノードに対応することができる。ネットワークノードの例には、ＮｏｄｅＢ、ＭｅＮＢ、ＳｅＮＢ、マスタセルグループ（ＭＣＧ）若しくはセカンダリセルグループ（ＳＣＧ）に属するネットワークノード、基地局（ＢＳ）、マルチスタンダード無線（ＭＳＲ）ＢＳといったＭＳＲ無線ノード、ｅＮｏｄｅＢ、ネットワークコントローラ、無線ネットワークコントローラ（ＲＮＣ）、基地局コントローラ（ＢＳＣ）、リレー、リレーを制御するドナーノード、基地送受信局（ＢＴＳ）、アクセスポイント（ＡＰ）、送信ポイント、送信ノード、遠隔無線ユニット（ＲＲＵ）、遠隔無線ヘッド（ＲＲＨ）、分散アンテナシステム（ＤＡＳ）におけるノード、コアネットワークノード（例えばモバイルスイッチングセンタ（ＭＳＣ）、モビリティ管理エンティティ（ＭＭＥ）等）、運用及びメンテナンス（Ｏ＆Ｍ）、運用サブシステム（ＯＳＳ）、自己組織化ネットワーク（ＳＯＮ）、測位ノード、例えば、進化型サービングモバイルロケーションセンター（Ｅ−ＳＭＬＣ）、ドライブテスト最小化（ＭＤＴ）、等がある。
【０１４６】
いくつかの実施形態では、非限定的な用語であるユーザ機器（ＵＥ）が使用され、この用語は、ネットワークノード、及び／又は、セルラー通信システム若しくはモバイル通信システムにおける別のＵＥ、と通信する任意のタイプのワイヤレスデバイスを指す。ＵＥの例には、ターゲットデバイス、デバイスツーデバイス（Ｄ２Ｄ）ＵＥ、近接可能ＵＥ（ＰｒｏＳｅ  ＵＥともいう）、マシンタイプＵＥ又はマシンツーマシン（Ｍ２Ｍ）通信可能ＵＥ、ＰＤＡ、ＰＡＤ、タブレット、モバイル端末、スマートフォン、ラップトップ内蔵装備（ＬＥＥ）、ラップトップ搭載機器（ＬＭＥ）、ＵＳＢドングル等がある。
【０１４７】
上記実施形態は、ＮＲについて説明されている。しかしながら、それら実施形態は、ＵＥが信号（例えば、データ）を受信し及び／又は送信する、任意のＲＡＴ又はマルチＲＡＴシステム、例えば、ＬＴＥ、ＬＴＥ  ＦＤＤ／ＴＤＤ、ＷＣＤＭＡ／ＨＳＰＡ、ＧＳＭ／ＧＥＲＡＮ、ＷｉＦｉ、ＷＬＡＮ、ＣＤＭＡ２０００等に適用可能である。
【０１４８】
通信設計に通じた者らにより容易に理解されるように、機能手段又はモジュールは、デジタルロジック及び／又は１つ以上のマイクロコントローラ、マイクロプロセッサ、若しくは他のデジタルハードウェアを使用して実装されてよい。いくつかの実施形態において、多様な機能のうちのいくつか又は全ては、単一の特定用途向け集積回路（ＡＳＩＣ）内に実装されてもよく、又は、２つよりも多くの別個のデバイス内であって、それらの間における適切なハードウェア及び／若しくはソフトウェアインタフェースを有する当該別個のデバイス内、といったように併せて実装されてもよい。機能のうちのいくつかは、例えば、ワイヤレスデバイス又はネットワークノードの他の機能コンポーネントと共有されるプロセッサ上に実装されてもよい。
【０１４９】
代替的に、検討された処理手段の機能要素のうちのいくつかは、専用ハードウェアの使用を通じて提供されてもよく、またいくつかには、適切なソフトウェア又はファームウェアに関連付けて、ソフトウェアを実行するためのハードウェアが提供されている。よって、ここで使用されるような“プロセッサ”又は“コントローラ”という用語は、ソフトウェアを実行可能なハードウェアへの排他的な言及ではなく、限定ではないものの、デジタル信号プロセッサ（ＤＳＰ）ハードウェア、ソフトウェアを記憶するための読み取り専用メモリ（ＲＯＭ）、ソフトウェア及び／又はプログラム若しくはアプリケーションデータを記憶するためのランダムアクセスメモリ、並びに、不揮発性メモリ、を暗黙的に含み得る。旧来の及び／又はカスタム型の他のハードウェアもまた含まれてもよい。通信デバイスの設計者は、これらの設計の選択肢に固有のコスト、性能、及びメンテナンスのトレードオフを認識するであろう。
【０１５０】
認識されるであろうこととして、上述の説明及び添付図面は、ここに教示される方法及び装置の非限定的な例を表す。したがって、ここに教示される装置及び技法は、上述の説明及び添付の図面によって限定されない。むしろ、ここでの実施形態は、以下の請求項及びそれらの法的な均等物によってのみ限定される。
【図１】
0006679719.tif 000002
【図２】
0006679719.tif 000003
【図３ａ】
0006679719.tif 000004
【図３ｂ】
0006679719.tif 000005
【図３ｃ】
0006679719.tif 000006
【図４】
0006679719.tif 000007
【図５】
0006679719.tif 000008
【図６】
0006679719.tif 000009
【図７】
0006679719.tif 000010
【図８】
0006679719.tif 000011
【図９】
0006679719.tif 000012
【図１０】
0006679719.tif 000013